(57)【要約】【課題】  本発明が前述の状況に鑑み解決しようとするところは、外形に直線部を設けることなく、美しいデザインとすることが可能な封緘部を有するデザイン封筒を提供する点にある。【解決手段】  収容部２に便箋や書類等の封入物を入れるための開口３と、この開口３を被覆可能な封緘部４とを有すると共に、外形がデザイン化された封筒１であって、全体と同一の外形を有する第一のシート５と、全体と同一の外形の一部を切欠きとした外形を有し、切欠き以外の周縁の全部又は一部が、第一のシート５の略同一形状の周縁に形成された接着部７ａ、７ｂに接着されることで、収容部２及び開口３を形成する第二のシート６と、開口３の略全部を覆うと共に第一のシート５及び第二のシート６に跨った状態で、一部が第一のシート５に接着されることで、封緘部４を形成する封緘シート８とを設けた。【選択図】図１
2014088208.tif 000002
【特許請求の範囲】
【請求項１】
収容部に便箋や書類等の封入物を入れるための開口と、この開口を被覆可能な封緘部とを有すると共に、外形がデザイン化された封筒であって、
全体と同一の外形を有する第一のシートと、
全体と同一の外形の一部を切欠きとした外形を有し、該切欠き以外の周縁の全部又は一部が、前記第一のシートの略同一形状の周縁に形成された接着部に接着されることで、前記収容部及び前記開口を形成する第二のシートと、
前記開口の略全部を覆うと共に前記第一のシート及び前記第二のシートに跨った状態で、一部が前記第一のシートに接着されることで、前記封緘部を形成する封緘シートと
を設けたことを特徴とする封緘部を有するデザイン封筒。
【請求項２】
前記接着部が、前記第一のシート及び前記第二のシートの周縁から一定幅に形成されてなる請求項１記載の封緘部を有するデザイン封筒。
【請求項３】
前記第二のシートと前記封緘シートとを合わせた外形が、前記第一のシートの外形と略同一の形状としてなる請求項１又は２記載の封緘部を有するデザイン封筒。
【請求項４】
前記第一のシートに対して前記開口から離間した部分に、前記封緘シートの一部を接着してなる請求項１乃至３の何れか１項記載の封緘部を有するデザイン封筒。
【請求項５】
前記接着部の一部が接着されないで前記収容部と外部とをつなぐスリット形状の空気抜け孔を形成することによって、又は、前記接着部をドット状に付着された接着剤により形成することによって、前記収容部内と外部との間で通気可能に形成してなる請求項１乃至４の何れか１項記載の封緘部を有するデザイン封筒。
【請求項６】
前記収容部の端部又はこれらの近傍ではない中間位置に、一方の辺から対向する辺まで延びると共に表裏面に貫通する破断線を備えてなる請求項１乃至５記載の何れか１項記載の封緘部を有するデザイン封筒。
【請求項７】
請求項１乃至６記載の何れか１項記載の封緘部を有するデザイン封筒に、封入物が封入されてなる配達物又は配布物。
【発明の詳細な説明】
【技術分野】
【０００１】
本発明は、便箋や書類等の封入物を収容する封筒に関わり、更に詳しくは、封筒としての機能を維持しながらも、外形を自由にデザインすることが可能な封緘部を有するデザイン封筒及びこれに封入物を入れた配達物又は配布物に関するものである。
【背景技術】
【０００２】
従来、封筒として、表面に絵柄が印刷されていて封筒の外形が当該絵柄の概略輪郭線に沿った形状に形成されていることで、受取人が受け取った際に中身が見たくなるような、すなわち宣伝効果に優れた、インパクトの強いものが提案されている（例えば、特許文献１）。
【０００３】
また、他にも封筒として、凹凸のある外周端を有する模様形状の表シートと、開口部を除き表シートと略同一形状の裏シートとからなり、表シートと裏シートは、開口部を除く外周縁部で接着して収納部を形成しており、断面が略Ｖ字形の細長い折り曲げ体二本が該収納部の左端沿いと右端沿いに、略Ｖ字形の内角部同士が向き合うように、かつ、略平行に内挿されており、該折り曲げ体の外面が表シートの内面および裏シートの内面に接着していることで、デザイン性に優れているうえに、封入物を入れやすく、取り出しやすく、強度が確保できるものが提案されている（例えば、特許文献２）。
【先行技術文献】
【特許文献】
【０００４】
【特許文献１】特開２００１−２４００７０号公報
【特許文献２】登録実用新案第３１３５４４８号公報
【発明の概要】
【発明が解決しようとする課題】
【０００５】
しかし、特許文献１及び２記載の封筒は何れも、開口部を形成する封筒の表裏面の何れか一方に延設された封緘部（蓋部）を設け、封入物を入れた後にこの封緘部を折り曲げて接着固定することで封止するものである。このため、この封緘部を形成するために外周端の一部に直線部を設ける必要があり、デザイン性が著しく低下してしまうものであった。
【０００６】
本発明が前述の状況に鑑み解決しようとするところは、外形に直線部を設けることなく、美しいデザインとすることが可能な封緘部を有するデザイン封筒を提供する点にある。
【課題を解決するための手段】
【０００７】
本発明に係るデザイン封筒は、前記課題解決のために、収容部に便箋や書類等の封入物を入れるための開口と、この開口を被覆可能な封緘部とを有すると共に、外形がデザイン化された封筒であって、全体と同一の外形を有する第一のシートと、全体と同一の外形の一部を切欠きとした外形を有し、該切欠き以外の周縁の全部又は一部が、前記第一のシートの略同一形状の周縁に形成された接着部に接着されることで、前記収容部及び前記開口を形成する第二のシートと、前記開口の略全部を覆うと共に前記第一のシート及び前記第二のシートに跨った状態で、一部が前記第一のシートに接着されることで、前記封緘部を形成する封緘シートとを設けたことを特徴とする封緘部を有するデザイン封筒。
【０００８】
また、前記接着部が、前記第一のシート及び前記第二のシートの周縁から一定幅に形成されてなるとより好ましい。
【０００９】
さらに、前記第二のシートと前記封緘シートとを合わせた外形が、前記第一のシートの外形と略同一の形状としてなるとより好ましい。
【００１０】
さらにまた、前記第一のシートに対して前記開口から離間した部分に、前記封緘シートの一部を接着してなることができる。
【００１１】
また、前記接着部の一部が接着されないで前記収容部と外部とをつなぐスリット形状の空気抜け孔を形成することによって、又は、前記接着部をドット状に付着された接着剤により形成することによって、前記収容部内と外部との間で通気可能に形成してなることも可能である。
【００１２】
さらに、前記収容部の端部又はこれらの近傍ではない中間位置に、一方の辺から対向する辺まで延びると共に表裏面に貫通する破断線を備えてなるとより好ましい実施形態となる。
【００１３】
さらにまた、封緘部を有するデザイン封筒に、封入物が封入されてなる配達物又は配布物も本発明の実施形態である。
【発明の効果】
【００１４】
本発明に係るデザイン封筒によれば、封緘部を有する封筒であっても、外形に直線部を設けることなく自由に全体形状をデザインすることができる。
また、外形をきれいなデザインとすることで、これを受け取った受取人に対して大きなインパクトと共に驚きや喜びを与えることが可能となる。
【００１５】
前記接着部が、前記第一のシート及び前記第二のシートの周縁から一定幅に形成されてなるものによれば、外形デザインに合わせて接着部を周縁から一定幅に形成することで、収容部を可能な限り広く形成することができる。
また、複雑な外形のデザイン封筒であっても、全周縁の接着部に必要な接着強度を得るための接着面積を容易且つ効率的に設定することができ、封筒として封入物を確実に保護することができる。
さらに、収容部が外形と略同一の形状に膨出することでデザインをより立体的に見せることができる。
【００１６】
前記第二のシートと前記封緘シートとを合わせた外形が、前記第一のシートの外形と略同一の形状としてなるものによれば、封筒の全周縁で第一のシート及び第二のシートを接着固定して製造することとなるため、封筒の周縁の強度を高くすることができる。このため、保管や配達の際の端部の折れ曲がり等によるデザインの損傷を防止することができ、受取人がこれを受け取るまで外形のデザインを適切に保護することができる。
【００１７】
前記第一のシートに対して前記開口から離間した部分に、前記封緘シートの一部を接着してなると、封入物を入れる際に封緘シートの非接着部分を捲ると、第一のシートと封緘シートとの接着部分から開口までが離間しているため、封緘部が邪魔にならず封入物を入れ易く、封入物を入れる封筒としてより好適なものとなる。
【００１８】
前記接着部の一部が接着されないで前記収容部と外部とをつなぐスリット形状の空気抜け孔を形成することによって、又は、前記接着部をドット状に付着された接着剤により形成することによって、前記収容部内と外部との間で通気可能に形成してなると、製造ラインにおいてデザイン封筒の表裏双方から同時に圧縮される場合であっても、収容部内の空気が外部へ流れ出すことで、破裂等の問題が生じることがない。
特に外形がデザインされた封筒の製造において有利な打抜き加工は、製造ラインの最終工程で行なわれることが多く、この最終工程における欠陥は迅速な製品供給や製造コストの管理において大きな問題となるが、これを確実に防止することができる。
【００１９】
前記収容部の端部又はこれらの近傍ではない中間位置に、一方の辺から対向する辺まで延びると共に表裏面に貫通する破断線を備えてなるものによれば、破断線に沿って封筒を引裂くように開封することができ、容易に開封することができる。
また、従来の封筒とは異なる開封方法であるため、受取人に開封する楽しみを与えることができる。
【００２０】
上記のような封緘部を有するデザイン封筒に、封入物が封入されてなる配達物又は配布物は、受取人の開封率を高いものとすることができ、ダイレクトメールに用いることで広告宣伝効果を大幅に向上させることが可能となる。
【図面の簡単な説明】
【００２１】
【図１】本発明の実施形態に係るデザイン封筒の開封した状態を示す斜視図である。
【図２】本発明の実施形態に係るデザイン封筒の構成を示す分解斜視図である。
【図３】本発明の実施形態に係るデザイン封筒の構成を示す説明図であり、（ａ）は正面図、（ｂ）は背面図である。
【図４】本発明の実施形態に係るデザイン封筒の他の例を示す正面図である。
【図５】本発明の他の実施形態に係るデザイン封筒の構成を示す斜視図である。
【図６】本発明の他の実施形態に係るデザイン封筒の構成を示す説明図であり、（ａ）は正面図、（ｂ）は背面図である。
【発明を実施するための形態】
【００２２】
次に、本発明の実施形態を添付図面に基づき詳細に説明するが、本発明は、添付図面に示された形態に限定されず特許請求の範囲に記載の要件を満たす実施形態の全てを含むものである。
本明細書において、第一のシートによって形成される面を表面とし、これと反対側の、第二のシート及び封緘シートによって形成される面を裏面とし、封緘部とは、開口を被覆可能なものとする。
【００２３】
本実施形態に係るデザイン封筒１は、図１乃至図３に示すように、収容部２に便箋や書類等の封入物を入れるための開口３と、この開口３を被覆可能な封緘部４とを有すると共に、外形がデザイン化された封筒１であって、全体と同一の外形を有する第一のシート５と、全体と同一の外形の一部を切欠き６ａとした外形を有し、該切欠き６ａ以外の周縁の全部又は一部が、前記第一のシート５の略同一形状の周縁に形成された接着部７に接着されることで、前記収容部２及び前記開口３を形成する第二のシート６と、前記開口３の略全部を覆うと共に前記第一のシート５及び前記第二のシート６に跨った状態で、一部が前記第一のシート５に接着されることで、前記封緘部４を形成する封緘シート８とを設けてなることを特徴とするものである。
ここで、デザイン封筒１は、ダイレクトメール用の封筒として使用するものを例に示しているが、これに限定されず、例えば一般的な手紙の封筒や配達物を封入するものとしても使用することもできる。
【００２４】
デザイン封筒１の表側に位置する第一のシート５は、外形がインパクトある形状に形成されていることで、封筒として使用された場合に封筒の受取人に驚きを与えることができるものである。本実施形態では、全体を玉子形状とすることで誕生や新しいものを想起させるものとし、新たな商品やサービスの案内に利用されることが多いダイレクトメールとしてより好適なものとなっている。
また、第一のシート５の外側面には、形状に合わせた模様や色彩が付されることで、形状と模様等とが互いに相俟って、意図する印象をより適格且つ強烈に受取人に与えることができるため、玉子の絵や写真を付すことでより玉子のイメージを与えるものとすることも可能である。
第一のシート５の裏面側には、第二のシート６及び封緘シート８が貼着されており、第二のシート６は、周縁が第一のシート５の開口３を除く周縁の接着部７ａに接着されて固定されている。
【００２５】
第二のシート６は、第一のシート５と同一の形状のシートの一部を直線状に切欠いて切欠き６ａを設けたものである。この切欠き６ａを設けたことで、第一のシート５と貼り合わせられた状態で、この切欠き６ａが開口３を形成され、同時に第一のシート５と第二のシート６との間に収容部２が形成される。
また、第一のシート５と同様、第二のシート６の外側面にも模様や色彩が付されることで、表裏面の何れの面からでも意図する印象を与えるものとすることが可能である。
なお、表裏面の夫々に異なるデザインを施すことで、受取人が見る面によって全く異なる印象を与えるものとしてもよい。
また、切欠き６ａは直線状であるため、比較的封入物Ｅを挿入し易いものとできるが、これに限らず、曲線やデザイン封筒１の外形と統一性を持たせたライン等として構成することもできる。
【００２６】
封緘部４を形成する封緘シート８は、第一のシート５の裏面の、第二のシート６の存在しない部分に設けられた接着部７ｂに貼り付けられている。通常、封緘シート８は開口３の全てを被覆しているが、これを捲ることで開口３が表われ、封入物Ｅを収容部２に挿入することができる。この接着部７ｂは、開口３から若干離間して設けられているため、封入物Ｅがより入れ易いものとなっている。
また、第二のシート６と封緘シート８とは、互いに被さった状態で第一のシート５に貼り付けられており、この状態におけるこれらの外形は第一のシート５と同一の形状となっている。このような構成によって、デザイン封筒１の略全周縁において接着部７が設けられることとなり、デザイン封筒１を強度の高いものとしている。
ここで、一般的な封筒には、このような開口３を被覆することができる封緘部４が備えられているが、この封緘部４によって封入物に接着剤等が付着せず、封入物Ｅを保護することができると共に、封止部分の強度を高くすることができるといった効果を発揮するものとしている。
【００２７】
収容部２は、第一のシート５と第二のシート６とが一定幅の接着部７ａによって接着された二枚のシート５、６の間に形成される、手紙や書類、カード等を収容する空間であり、デザイン封筒１の外形よりも一回り小さなものであって、デザイン封筒１と略同一形状に形成される。
これによって、外形の形状に関わらず、接着強度を考慮したうえでの収容部２の広さを最大限とすることができる。
なお、収容部２は、デザイン封筒１の外形に関係なく略長方形状に形成することもでき、このような構成とすると、接着部７ａの面積を広くすることで接着強度を高くすることができると共に、収容物の出し入れの作業性が良くなる。さらに、複数の外形デザインを製造する場合であっても接着剤を付与する版の共通化が可能であり、製造コストを低廉化することもできる。
【００２８】
デザイン封筒１を開封するための破断線であるミシン目１０は、上下方向における略中央に左右方向に延びる、ジグザグ状に設けられている。このジグザグ状の破断線４であるミシン目は、玉子の殻の割れ方を想起させるため、デザイン封筒１の形状と相俟ってより高い効果を奏することが可能となる。
また、第一のシート及び第二のシートの接着部を、破断線の両端部で内外方向に幅広に形成することで挟持部を形成しているため、受取人がここを持って開封することで、封入物Ｅを損傷させることなく、容易に開封することができる。
さらに、ミシン目１０をジグザグ状に形成して、受取人に対して直線状のものよりも開封する興味を与えることができ、結果として開封を促す効果も得られる。
【００２９】
図５及び図６には、他の実施形態を示す。
【００３０】
このデザイン封筒１Ｂは、破断線であるミシン目１０を左右方向における略中央に、上下方向に延びるものとしたものであり、このような構成としたことで、左右の接着部７ａを持って封筒を引き裂くように開封することができる。
また、封緘シート８は、第一のシート５の下端部に設けたものとして構成しているが、これに限らず、第二のシート６の切欠き６ａを上端部に配置させて封緘シート８も上端部に貼り付けてこの封緘シート８にも破断線を設けたものとしてもよく、この場合、主に開封時に引裂き始めとなる上端部の強度を補強することで、引裂き開封をより確実に行なえるものとすることができる。
なお、ミシン目１０は、左右方向や上下方向に延びるものに限らず、斜め方向に延びるものであってもよく、その形状もジグザグ状に限らず直線や曲線、これらを組み合わせたもの等、自由に選択することができ、また、デザイン封筒１の前面に二本のミシン目を平行に設けることで、当該部分を切り取って開封するものとしてもよい。
デザイン封筒１Ｂの他の構成については、上記デザイン封筒１と同じであるため、詳細な説明は省略する。
【００３１】
次に、本実施形態のデザイン封筒１の製造方法について詳細に説明するが、デザイン封筒１の製造方法についてはこれに何ら限定されず、他の製造方法で製造されたものであってもよい。
【００３２】
まず、シート材に印刷する。
シート材に外形を含めた所望のデザインを印刷する。
ここで、シート材は、第一のシート５、第二のシート６及び封緘シート８は、何れも同じ紙製のものとしているが、他のもので構成されたものであってもよく、例えば、第一のシート５又は第二のシート６の何れか一方を透明フィルムで構成しても良く、このような構成によれば、開封前であっても収容物Ｅの一部が見えるため、開封をより促すものとすることができる。
【００３３】
次に、印刷した各シート材を接着する。
接着部７は、第二のシート６用の接着部７ａと封緘シート８用の接着部７ｂとを、第一のシート５に設けて、全てシート材を互いに接着する。
また、封緘シート８には、これらの接着部７ａ、７ｂとは別に封緘用接着部を設けることで、封入物Ｅを収容した後の接着剤塗布を不要とすることで封緘作業を容易に行なうことができるものとしてもよい。
なお、図４に示すように、接着部７ａにスリット状の空気抜き孔９を設けておくと、製造工程等で収容部２内に溜まった空気による不都合、例えば打抜き加工における封筒の破裂を防ぐことができる。スリット状の空気抜き孔９の代わりに接着部７ａの全部又は一部をドット状に接着剤を塗布して形成しても同様の効果が得られる。
【００３４】
最後に、デザイン封筒１の外形で打抜くと同時に破断線１０を設ける。
これらを同時に行なうことで製造コストを低廉化することができるが、目的に応じて各々を別に行なっても勿論よい。
【００３５】
以上の説明においては、第一のシートと第二のシートの切欠き以外の周縁の形状が略同一である場合を示したが、これらのシートはこのようなものに限定されず、第一のシートと第二のシートの形状が全く異なるものとして形成してもよい。
また、開封手段についても破断線に沿って引き裂くものに限らず、封緘シートを剥がすことで開封するものとしてもよく、また、一般的な封筒と同様に特に開封手段を設けないものとして構成してもよい。
【符号の説明】
【００３６】
１、１Ａ、１Ｂ       デザイン封筒
２     収容部
３     開口
４     封緘部
５     第一のシート
６     第二のシート
６ａ   切欠き
７     接着部
７ａ   接着部（周縁）
７ｂ   接着部（下部）
８     封緘シート
９     空気抜き孔
１０   ミシン目（破断線）
Ｅ     封入物
【図１】
2014088208.tif 000003
【図２】
2014088208.tif 000004
【図３】
2014088208.tif 000005
【図４】
2014088208.tif 000006
【図５】
2014088208.tif 000007
【図６】
2014088208.tif 000008